(57)【要約】      （修正有）【課題】組み立てが容易であり、また使用紙材も少なく軽量なキャスタ付きのキャリーバッグとして使用できると共に、宅配箱や小荷物箱としてもそのまま使用できるキャリーバッグを提供する。【解決手段】箱状本体１の底部に回転自在なキャスタ２を着脱自在に配置すると共に、少なくとも上方が開口した箱状本体１の背部より上方に延出された取っ手片３を折り畳んで箱状本体１の上方開口４を閉塞可能とした。また箱状本体１の両側より上方に延出された補強側片５、５を取っ手片３の両側と連続させた場合は、取っ手片３単独の場合に比べて取っ手片３の強度が大きくなって取っ手片３が千切れたりし難く、耐久性が向上する。しかも取っ手片３を折り畳む際、補強側片５も折り線などで簡単に折り込むことができるので、支障になることはない。【選択図】図１
0003189698.tif 000002
【実用新案登録請求の範囲】
【請求項１】
少なくとも上方が開口した箱状本体１の底部に回転自在なキャスタ２を着脱自在に設置し、この箱状本体１の背部より上方に延出された取っ手片３を折り畳んで箱状本体１の上方開口４を閉塞可能としたことを特徴とするキャリーバッグ。
【請求項２】
箱状本体１及び取っ手片３が一体に連続した段ボールで形成されたことを特徴とする請求項１に記載のキャリーバッグ。
【請求項３】
箱状本体１の両側より上方に延出された補強側片５、５を取っ手片３の両側と連続させた請求項１又は２のいずれかに記載のキャリーバッグ。
【請求項４】
キャスタ２は、箱状本体１底部に貫装された軸筒９に装着され、軸方向に割り溝１２が施されたストッパ１０を軸筒９の端部に圧入するようにしたことを特徴とする請求項１乃至４のいずれかに記載のキャリーバッグ。
【請求項５】
軸筒９に圧入されるストッパ１０の外周に螺旋状の突部１１を施したことを特徴とする請求項４に記載のキャリーバッグ。
【考案の詳細な説明】
【技術分野】
【０００１】
本考案は組み立てが容易であり、また使用紙材も少なく軽量なキャスタつきのキャリーバッグとして使用できると共に、宅配や小荷物発送用の包装箱としてもそのまま使用できるキャリーバッグに関する。
【背景技術】
【０００２】
近年、道路や歩道の整備が進んだことなどから、底面にキャスタを設けた箱状本体に荷物を収納し牽引するキャリーバッグが、旅行や出張などの際に広く使用されている。これら従来のキャリーバッグは、金属製や厚手の布製などであるため軽量化には限界があった。
【０００３】
そこで、例えば特許文献１では、キャリーバッグの箱状ケースや取っ手部材などを厚紙状素材の組立て体から構成する技術が提案されている。
【特許文献１】特開２００７−３２６５１５号公報
【特許文献２】実用新案登録第３１１９５１０号公報
【特許文献３】実用新案登録第３１７００７２号公報
【考案の開示】
【考案が解決しようとする課題】
【０００４】
特許文献１、２の発明は、厚紙状素材を用いてキャリーバッグを作製しているので従来のものに比べて軽量化が図れると考えられるが、箱状ケースや取っ手部材、取っ手保持部材などを厚紙状素材でそれぞれ個別に形成した後、これらを組み立てる必要があるので、キャリーバッグの作製作業が複雑となる。また、部材ごとに１枚の厚紙状素材が必要となるので、１台のキャリーバッグを作製するのに形の異なる複数枚の厚紙状素材が必要となり、厚紙状素材の物流や保管などが煩雑となる。
【０００５】
特許文献３の考案では、取っ手を本体に一体的に設けて組み立て性の改良と軽量化を計ったものであるが、キャリーバッグとしての用途並びにその廃棄に関する配慮しかなされていなかった。また特許文献３は宅配等の箱として使用する配慮もされているが、その場合の箱状本体の上部開口を覆う蓋部分が取っ手とは別途に設けられ、取っ手は切り取るか箱の中に折り込んでしまうようになっていて、取っ手と別途に蓋部材を設置する無駄があった。
【０００６】
本考案は、このような従来の問題に鑑みてなされたものであり、その目的は、軽量化が図れ、しかも組立て及び分解作業が簡単であることは勿論、キャリーバッグに収容された物品を配送したい場合にも、キャリーバッグをそのまま宅配用の包装箱として使用できるようにし、しかもその際に無駄な部位がないキャリーバッグを提供するものである。
【課題を解決するための手段】
【０００７】
本考案は、キャリーバッグであって、先ず請求項１の考案は、箱状本体１の底部に回転自在なキャスタ２を着脱自在に配置すると共に、少なくとも上方が開口した箱状本体１の背部より上方に延出された取っ手片３を折り畳んで箱状本体１の上方開口４を閉塞可能としたものであり、第２項の考案は、箱状本体１及び取っ手片３が一体に連続した段ボールで形成したものである。
【０００８】
請求項３の考案は、箱状本体１の両側より上方に延出された補強側片５、５を取っ手片３の両側と連続させたものであり、  請求項４の考案は、軸筒９を本体の底部に貫通装着し、キャスタ２が装着された軸筒９に割り溝１２を有するキャスタ２を装着して軸筒９にストッパ１０を圧入するようにしたものであり、請求項５の考案は、ストッパ１０の外周に螺旋状の突部１１を設けて、ストッパ１０の取り外しを容易にしたものである。
【考案の効果】
【０００９】
本考案はこのように箱状本体１の底部に回転自在なキャスタ２を着脱自在に配置すると共に、少なくとも上方が開口した箱状本体１の背部より上方に延出された取っ手片３を折り畳んで箱状本体１の上方開口４を閉塞可能としたので、主たる用途は、箱状本体１にパンフレットや購入した種々の物品を上部開口４より中に収容し、取っ手片３を持ち、キャスタ２を転がしてキャリーバッグとして使用できるものである。これを郵便小包や宅配便で発送したい時は、取っ手片３を折り畳んで箱状本体１の上方開口４を覆う蓋として使用するもので、キャリーバッグの収容物を別の箱に入れ替えなくても良いので、便利である。
【００１０】
また箱状本体１及び取っ手片３が一体に連続した段ボールで形成された場合は、一枚の段ボールなどのシート材を折り込み、接合部を結合することにより簡単に組み立てることができる。
【００１１】
またキャスタ２はプラスチックやアルミニウム、厚紙、段ボール等適宜の素材を選定でき、段ボールで形成した場合は、勿論過大な荷重には限界があるが、軽量であるにも拘らず比較的強度が大きく、一寸した内容物を箱状本体１にしキャスタ２を転がして移動させることができる。
【００１２】
また箱状本体１の両側より上方に延出された補強側片５、５を取っ手片３の両側と連続させた場合は、取っ手片３単独の場合に比べて取っ手片３の強度が大きくなって取っ手片３が千切れたりし難く、耐久性が向上する。しかも取っ手片３を折り畳む際、補強側片５も折り線などで簡単に折り込むことができるので、支障になることはない。
【００１３】
キャスタ２の軸筒９を箱状本体１の底部を貫通して装着し、軸筒９の露出した両端にキャスタ２を取りつけた後、軸筒９の端部にストッパ１０を抜け止めとして施すようにしておくと、従来の種々のキャスタに比べ、簡便であって装着が容易である上に、組み立て前はキャスタ２を軸筒９から抜いて、全体をコンパクトに設計することができる。
【図面の簡単な説明】
【００１４】
【図１】本考案の一実施例のキャリーバッグとして使用する状態の斜視図。
【図２】同上の包装箱として使用する状態の前面から見た斜視図。
【図３】同上の組み立て前の展開図。
【図４】同上のキャスタと軸筒の一部省略分解斜視図。
【図５】同上の底部の組立てを示す一部省略概略斜視図。
【図６】同上の包装箱として使用する状態の背面から見た斜視図。
【考案を実施するための形態】
【００１５】
以下に図面を参照しながら本考案を実施するための最良の形態について詳細に説明する。図１はキャリーバッグとして使用するときの状態、図２は上部開口７を蓋としての取っ手片３で覆った状態を示すものである。図３はこれらを組立てる前の展開状態を示すもので、背部１ａの片側に側部１ｂを介して前部１ｃが連出され、この前部１ｃから更にもう1つの側部１ｂが連出されていて、この側部１ｂは重ね代１ｄで糊付けされて前部１ａと接合されるようになっている。
【００１６】
また背部１ａの上辺には折れ線を介して取っ手片３が延出され、側部１ｂ、１ｂの上辺からは折れ線を介して補助側片５、５が延出される。この補助側片５の一方は折れ線で取っ手片３の一側と連らなるが、他方の補助片５は重ね代１ｄを糊付けすることにより取っ手片３の他側と連らなる。そして取っ手片３と補助側片５はこれらの折れ線により折り畳んで箱状本体１の上方開口４を覆うことができるように設定されている。更に取っ手片３の上端は折り返して２重構造とし、強度の向上を図ることができる。７は握り穴である。
【００１７】
背部１ａ及び前部１ｃの下端からは底部１ｅ、１ｇが折れ線を介して延出され、側部１ｂ、１ｂの下端から折れ線を介して重ね代１ｆ、１ｈが延出されている。ここで図示例では、底部１ｅ、１ｇのそれぞれに山部１ｉと谷部１ｊが設けられていて、それぞれの片方が重ね代１ｆ、１ｈと糊付けなどで接合され、図５のように山部１ｉと谷部１ｊを噛み合わせることにより底を簡単に構成できるようにしている。
【００１８】
更に背部１ａと底部１ｅ、必要な場合は側部１ｂ、１ｂ等には実線の切り込みと破線による折れ線とにより箱状本体１の下端の一部を内方へ押し込むことにより形成できる折込部６、６・・・が適所に施され、これらを内部に押し込むことにより、箱状本体１の取っ手片３側（或いは前部１ｃ側）の下端に軸筒９を貫通装着して、その露出両端にキャスタ２を装着するようにしている。尚、この折込部６が設けられていない対向縁部にはスタンド８が切り線と折線により切り起こして形成するようにしても良い。
【００１９】
ここで箱状本体１の素材は厚紙や段ボールで形成され、これを箱状に組み立てることにより図１のように少なくとも上方が開口した箱状本体１は、その背部より上方に取っ手片３が上方に延出されている。この取っ手片３はキャリーバッグとして使用する場合は取っ手として機能し、保管や配送の場合は折れ線で折り畳むことにより、箱状本体１の上方開口４を覆う蓋として機能するものである。また、必要に応じて取っ手片３の左右の両辺とそれに隣接する上方開口４の左右縁との間が補強側片５、５で一体的に接続されている。この場合は、補強側片５にも折れ線（図中の破線）を施して、折り畳み易くしておくのが好ましい。尚、補助側片５の一部は切り込んでもかまわない。
【００２０】
箱状本体１の下端奥角部或いは間の適所に切り込みと折れ線を入れ、折込部６、６・・・を押し込むことにより形成された空隙を利用して軸筒９が挿通され、箱状本体１の下端奥部より左右に突出する軸筒９の両先端に円板状のキャスタ２が装着される。ここで軸筒９は段ボールやボール紙を丸めて形成し、キャスタ２も段ボールで構成することができるが、軸筒９及びキャスタ２は段ボール以外の素材、ボール紙やプラスチック、アルミニウムやその他の金属、木質素材で構成しても構わない。キャスタ２は軸筒９に装着されてロックされるが、キャスタ２の外側に抜け止めピンを差し込んだり、図のようなねじ込み蓋１０を装着しても良い。また、キャスタ２は前後両側に設置しても良い。
【００２１】
図４はねじ込み蓋によるストッパ１０の一例を示すもので、ストッパ１０は、軸筒９の内径よりも僅かに太い差込筒部を有し、軸筒９の端部に圧入される差込筒部外周に螺旋状の滑り止め突部１１と、軸と平行な方向の割り溝１２が施され、軸筒９の端部にキャスタ２を通してストッパ１０の差込筒部を軸筒９の端部に圧入することによりキャスタ２の抜け止めとすることができる。外す時はストッパ１０の握り部を持って回転させると、滑り止め突部１１が螺旋状であれば、簡単に抜くことができる。
【００２２】
図３は取っ手片３及び、ある場合には補強側片５を折れ線で折り畳み、上方開口４を覆って蓋をした状態を示すもので、取っ手片３の適所を糊付けやガムテープ止めすることができる。また、取っ手片３の適所を切り起こすなどして、一部を前部１ｃの切欠などに差し込むようにしても良い。
【産業上の利用可能性】
【００２３】
本考案は、図１のように上方開口４をより箱状本体１に搬送物を収容し、取っ手片３を持ってキャスタ２を転がしてキャリーバッグとして使用できる他、キャスタ２を取り外し、取っ手片３を折り畳んで上方開口４を覆って蓋をすると、そのまま密封した箱になるため、中身を入れ替えることなく、そのまま保管箱や、郵送や宅配の包装箱として使用することができる。
【００２４】
その場合、取っ手片３がそのままキャリアーの上方開口４を覆う蓋を兼用できるので、無駄がなく、素材の使用量を低減させることができて、軽量化及びコスト低減を促進することができる。素材として段ボールを使用すれば、軽量化、コスト低減は更に向上する。
【００２５】
またこの商品は、箱状本体１の前部１ｃや背部１ａ面に宣伝したい会社名や商品名を印刷しておくと、図１や図６のようにその段ボール製キャリーバッグを持ち歩いてくれる事でその宣伝印刷面が見え、文字通り歩く広告塔として大きな宣伝効果も発揮するものある。例えば展覧会などで自社パンフレットやカタログ、サンプル等が入れて顧客に配布し、キャリーバッグとして転がして移動してくれるとそのまま広告してくれることになる。そして自身で持ち帰るには重い場合は、中身を入れ替えることなく、取って片３で蓋をし、そのまま包装用箱として自宅や会社等に配送依頼できる。
【符号の説明】
【００２６】
１は箱状本体、２はキャスタ、３は取っ手片、４は上方開口、５は補強側片、９は軸筒、１０はストッパ、１１は突部、１２は割り溝である。
【図１】
0003189698.tif 000003
【図４】
0003189698.tif 000004
【図２】
0003189698.tif 000005
【図３】
0003189698.tif 000006
【図５】
0003189698.tif 000007
【図６】
0003189698.tif 000008